(57)【要約】【課題】測定用サンプル作製時に、空気の入り込みを抑えることができ、簡便にサンプル作製を行うことができるテープストリッピング用治具を提供する。【解決手段】テープストリッピング用治具１を、湾曲状のテープ支持面１０ａを有する本体１０と、本体に形成された持手部１１と、粘着テープ１２の一端１２ａを把持する、本体１０の一部に設けられた第１の把持部１３と、粘着テープ１２の粘着面１２ｂが外面となるようにテープ支持面１０ａに沿わせ、粘着テープ１２に張力をかけた状態で粘着テープ１２の他端１２ｃを把持する、本体１０の他の一部に設けられた第２の把持部１５とを備えた構成とする。【選択図】図１
2015118061.tif 000002
【特許請求の範囲】
【請求項１】
湾曲状のテープ支持面を有する本体と、
該本体に形成された持手部と、
粘着テープの一端を把持する、前記本体の一部に設けられた第１の把持部と、
前記粘着テープの粘着面が外面となるように前記テープ支持面に沿わせ、該粘着テープに張力をかけた状態で該粘着テープの他端を把持する、前記本体の他の一部に設けられた第２の把持部とを備えたテープストリッピング用治具。
【請求項２】
前記第２の把持部を前記テープ支持面に連続する面に沿ってスライドさせるスライド機構と、前記第２の把持部のスライドをロックするロック機構とを備えている請求項１記載のテープストリッピング用治具。
【請求項３】
前記第２の把持部が、前記本体に固定された受け部と、該受け部との間に前記粘着テープを通して挟み込む蓋部とからなる請求項１記載のテープストリッピング用治具。
【請求項４】
前記第１の把持部が、前記粘着テープの前記一端を前記本体に付勢して把持するものである請求項２および３記載のテープストリッピング用治具。
【請求項５】
長さ方向にスリットを有する円筒形であり、該円筒形の円筒面が湾曲状のテープ支持面である本体と、
粘着テープの粘着面が内側となるように巻き付けられた円筒状テープローラと、
該円筒状テープローラを前記円筒形の内部に回転自在に支持する、前記円筒形の中心軸に沿って配置された支持軸と、
前記円筒状テープローラから繰り出され、前記スリットから前記円筒面側に取り出された前記粘着テープの一端を把持し、該粘着テープの粘着面が外面となるように前記テープ支持面に沿わせ、該粘着テープに張力をかけた状態で維持するテープ把持部と、
前記本体の前記テープ支持面に沿って、前記テープ把持部と一体的に回動する持手部と、
前記本体に対する前記持手部および前記テープ把持部の回動をロックするロック機構とを備えたテープストリッピング用治具。
【請求項６】
前記スリットから取り出され、前記テープ支持面に沿って配された前記粘着テープの前記一端と前記スリットとの間の該スリット側の一部において前記粘着テープを前記本体に付勢し、該粘着テープの移動を止める留め具を備えた請求項５記載のテープストリッピング用治具。
【請求項７】
前記粘着テープを切断する切断部を有している請求項５または請求項６記載のテープストリッピング用治具。
【請求項８】
前記切断部が、前記本体のスリットの端辺に設けられている請求項７記載のテープストリッピング用治具。
【発明の詳細な説明】
【技術分野】
【０００１】
本発明は、皮膚表皮の形態観測のためのテープストリップ法に用いられるテープストリッピング用治具に関するものである。
【背景技術】
【０００２】
従来、皮膚表皮の形態観察のためにテープストリップ法が用いられている。テープストリップ法は、例えばセロハンテープなどの粘着テープを皮膚に貼り付け、はがすことにより角層細胞を採取する方法である。
【０００３】
例えば、特許文献１、２には粘着テープを皮膚に貼り付けて剥がすテープストリップ法により角層細胞を採取し、粘着テープをスライドガラスに貼付させた後そのまま、あるいは、さらにセロハンテープを剥離する処理、および染色処理を行った後に、光学顕微鏡や走査型顕微鏡（ＳＥＭ）を用いた観察に供する方法が開示されている。また、顕微鏡により角質細胞の状態を観察する取得し肌診断をするほか、採取した角質層中のタンパク質等成分抽出を行う成分分析などがなされている。
【先行技術文献】
【特許文献】
【０００４】
【特許文献１】特開２０１１−１６４０５１号公報
【特許文献２】特開２０１２−２０２９６９号公報
【発明の概要】
【発明が解決しようとする課題】
【０００５】
従来、角質層中の物質の分析にはテープストリッピング法により採取したサンプルから特定物質を抽出するための処理等が必要となるため手間がかかっていた。
これに対して、ラマン分光法を用いれば、サンプルに特段の処理を施すことなく物質の分析を行うことができる。ラマン分光法は、サンプルに短波長光を照射し、この照射により生じる光を分光してスペクトル検出することにより、物質固有のラマン散乱光をから物質の同定を行う方法である。
【０００６】
粘着テープに付着したサンプル（表皮、角質など）をラマン散乱光検出用基板に貼着し、ラマン散乱光を観察すればよい。しかしながら、ラマン散乱光は非常に微弱であるため、サンプルが付着したテープを測定基板に貼り合わせる際に、基板とサンプル（テープ粘着面）との間に空気（気泡）が入り込みむと、正確な測定ができなくなってしまうという問題が生じ得る。
また、従来の顕微鏡による観察に際しても、スライドガラスとテープとの間に気泡が入り込むと鮮明な画像を取得できなくなる恐れがある。
【０００７】
本発明は、上記事情に鑑みてなされたものであって、測定用サンプル作製時に、空気の入り込みを抑えることができ、簡便にサンプル作製を行うことができるテープストリッピング用治具を提供することを目的とする。
【課題を解決するための手段】
【０００８】
本発明の第１のテープストリッピング用治具は、湾曲状のテープ支持面を有する本体と、
本体に形成された持手部と、
粘着テープの一端を把持する、本体の一部に設けられた第１の把持部と、
粘着テープの粘着面が外面となるようにテープ支持面に沿わせ、粘着テープに張力をかけた状態で粘着テープの他端を把持する、本体の他の一部に設けられた第２の把持部とを備えたことを特徴とする。
【０００９】
ここで、湾曲状は、支持するテープの延びる方向に湾曲するものであり、テープの幅方向は直線的なものとする。
また、粘着テープの一端および他端とは、必ずしも粘着テープの両端を意味するものではなく、粘着テープの長さ方向において、サンプル採取面となる領域を挟む一方と他方の部分であればよい。
【００１０】
本発明のテープストリッピング用治具としては、第２の把持部を前記テープ支持面に連続する面に沿ってスライドさせるスライド機構と、第２の把持部のスライドをロックするロック機構とを備えていてもよい。
【００１１】
第２の把持部を、本体に固定された受け部と、粘着テープを通して挟み込み係止させる係止部を有する該受け部に回動可能に枢着された蓋部とから構成することができる。
【００１２】
第１の把持部は、粘着テープの一端を本体に付勢して把持するものであってもよい。
【００１３】
本発明の第２のテープストリッピング用治具は、長さ方向にスリットを有する円筒形であり、円筒形の円筒面が湾曲状のテープ支持面である本体と、
粘着テープの粘着面が内側となるように巻き付けられた円筒状テープローラと、
円筒状テープローラを円筒形の内部に回転自在に支持する、円筒形の中心軸に沿って配置された支持軸と、
円筒状テープローラから繰り出され、スリットから円筒面側に取り出された粘着テープの一端を把持し、粘着テープの粘着面が外面となるようにテープ支持面に沿わせ、粘着テープに張力をかけた状態で維持するテープ把持部と、
本体のテープ支持面に沿って、テープ把持部と一体的に回動する持手部と、
本体に対する持手部およびテープ把持部の回動をロックするロック機構とを備えたことを特徴とする。
【００１４】
本発明の第１と第２のテープストリッピング用治具は、湾曲状のテープ支持面である本体と、粘着テープの粘着面が外面となるようにテープ支持面に沿わせ、粘着テープに張力をかけた状態で粘着テープを把持する把持部を備えている点が共通している。
【００１５】
本発明の第２のテープストリッピング用治具は、スリットから取り出され、テープ支持面に沿って配された粘着テープの一端とスリットとの間のスリット側の一部において、粘着テープを本体に押圧して固定する固定部を備えたものとすることができる。
【００１６】
また、粘着テープを切断する切断部を有していることが望ましい。
【００１７】
切断部は、本体のスリットの端辺に設けることができる。
【発明の効果】
【００１８】
本発明の第１のテープストリッピング用治具は、湾曲状のテープ支持面を有する本体と、本体に形成された持手部と、粘着テープの一端を把持する、本体の一部に設けられた第１の把持部と、粘着テープの粘着面が外面となるようにテープ支持面に沿わせ、粘着テープに張力をかけた状態で粘着テープの他端を把持する、本体の他の一部に設けられた第２の把持部とを備えているため、使用者は持手部を握り、本体に沿って支持された粘着テープの粘着面をサンプルや測定用基板に押し付けて湾曲面に沿って本体を押圧しつつ回動させることによりサンプルの採取および粘着テープの基板への貼付を行うことができる。従って、テープストリッピングにより採取したサンプルを測定用基板へ粘着テープを貼付する際に、空気の入り込みを抑制することができるので、鮮明な画像を取得することができ、また、精度の高いラマン分光測定が可能となる。
【００１９】
本発明の第２のテープストリッピング用治具は、長さ方向にスリットを有する円筒形であり、円筒形の円筒面が湾曲状のテープ支持面である本体と、粘着テープの粘着面が内側となるように巻き付けられた円筒状テープローラと、円筒状テープローラを円筒形の内部に回転自在に支持する、円筒形の中心軸に沿って配置された支持軸と、円筒状テープローラから繰り出され、スリットから円筒面側に取り出された粘着テープの一端を把持し、粘着テープの粘着面が外面となるようにテープ支持面に沿わせ、粘着テープに張力をかけた状態で維持するテープ把持部と、本体のテープ支持面に沿って、テープ把持部と一体的に回動する持手部と、本体に対する持手部およびテープ把持部の回動をロックするロック機構とを備えており、使用者は持手部を握り、本体に沿って支持された粘着テープの粘着面をサンプルや測定用基板に押し付けて湾曲面に沿って本体を押圧しつつ回動させることによりサンプルの採取および粘着テープの基板への貼付を行うことができる。従って、テープストリッピングにより採取したサンプルを測定用基板へ粘着テープを貼付する際に、空気の入り込みを抑制することができるので、鮮明な画像を取得することができ、また、精度の高いラマン分光測定が可能となる。
【００２０】
本発明の第１および第２のテープストリッピング用治具によれば、粘着テープの両端に張力をかけた状態で支持してサンプル採取および基板への粘着テープの貼付を実施できるので、効率的に作業を行うことができる。サンプル採取および基板への粘着テープの貼付時に誤って粘着面のサンプル採取面を触ってしまう恐れを抑制することができる。
【図面の簡単な説明】
【００２１】
【図１】本発明の第１の実施形態にかかるテープストリッピング用治具の概略構成を示す正面図である。
【図２】図１の第２の把持部のロック機構を示す平面図である。
【図３】図１のIII−III断面を示す図である。
【図４】図１に示すテープストリッピング用治具によりサンプルを採取する工程を示す図である。
【図５】図１に示すテープストリッピング用治具によりサンプルが付着した粘着テープを基板上に貼着する工程を示す図である。
【図６】本発明の第２の実施形態にかかるテープストリッピング用治具の概略構成を示す正面図である。
【図７】本発明の第２の実施形態にかかるテープストリッピング用治具による粘着テープ支持状態を示す図である。
【図８】図６に示すテープストリッピング用治具によりサンプルを採取する工程を示す図である。
【図９】図６に示すテープストリッピング用治具によりサンプルが付着した粘着テープを基板上に貼着する工程を示す図である。
【図１０】本発明の第３の実施形態にかかるテープストリッピング用治具の概略構成を示す正面図である。
【図１１Ａ】図１０に示すテープストリッピング用治具を矢印Ａから見た側面図である。
【図１１Ｂ】図１０に示すテープストリッピング用治具を矢印Ｂから見た側面図である。
【図１１Ｃ】図１０に示すテープストリッピング用治具のＣ−Ｃ断面図である。
【図１２】図１０に示すテープストリッピング用治具の使用方法を説明する図である。
【図１３】図１０に示すテープストリッピング用治具によりサンプルを採取する工程を示す図である。
【図１４】図１０に示すテープストリッピング用治具によりサンプルが付着した粘着テープを基板上に貼着する工程を示す図である。
【図１５】本発明の第３の実施形態にかかるテープストリッピング用治具の設計変更例の概略構成を示す正面図である。
【発明を実施するための形態】
【００２２】
以下、本発明の実施の形態を説明する。
【００２３】
本発明の第１の実施形態（本発明の第１のテープストリッピング用治具の実施形態）のテープストリッピング用治具１について説明する。図１は、本実施形態のテープストリッピング用治具１を示す正面図である。
【００２４】
本実施形態のテープストリッピング用治具１は、湾曲状のテープ支持面１０ａを有する本体１０と、本体１０に形成された持手部１１と、粘着テープ１２の一端１２ａを把持する、本体１０の一部に設けられた第１の把持部１３と、粘着テープ１２の粘着面１２ｂが外面となるようにテープ支持面１０ａに沿わせ、粘着テープ１２に張力をかけた状態で粘着テープ１２の他端１２ｃを把持する、本体１０の他の一部に設けられた第２の把持部１５とを備えている。
【００２５】
本体１０は、紙面奥行き方向に粘着テープ１２の幅と同程度以上の幅を有する、正面形状がそのまま奥行き方向に平行方向に移動してできる形状である。
本実施形態のテープストリッピング用治具１において、持手部１１は、本体１０のテープ支持面１０ａに対向する位置に本体１０と一体的に設けられている。
【００２６】
第１の把持部１３は、矢印α方向に可動とされている。通常は本体１０の面１０ｂに対して付勢するよう構成されており、本体１０の面１０ｂとの間に粘着テープ１２の一端１２ａをくわえた状態で把持する。粘着テープ１２の取り付け、取り外しの際には、面１０ｂから離間する方向に把持部１３を押し上げればよい。
【００２７】
第２の把持部１５は、上部材および下部材からなるクリップであり、本体１０の湾曲面１０ａに繋がる面上を移動可能に本体１０に設けられている。本体１０には溝穴状のガイド１７が設けられおり、第２の把持部１５が連結されたスライド部１８がガイド１７に沿って矢印β方向に可動に取り付けられている。ガイド１７に沿ってスライド部１８がスライドすることにより第２の把持部１５がスライド部１８と一体的に矢印β方向に移動する。また、第２の把持部１５を所定位置に固定するため、スライド部１８のガイド１７に対する移動をロックするロック機構１９を備えている。
【００２８】
図２は、図１のテープストリッピング用治具１についての第２の把持部２５側から見た側面の一部を示すものである。図３は図２に示す部分のIII-III断面図であり、第２の把持部２５のスライド方法を説明するための図である。但し、理解の容易のため、バネは断面としていない。
【００２９】
図２および図３に示すように、ロック機構１９は、自動復帰型であり、第２の把持部１５の一部を貫通し、本体のガイド１７まで延びる軸と、軸の先端に取り付けられた押下部１９ａと、軸に巻き付けられたバネ１９ｂと、軸の他端に設けられガイド１７内に位置するストッパ１９ｃとを備えている。
図３のａに示すように、ロック機構１９は通常はバネ１９ｂの付勢力により、ストッパ１９ｃが本体１０の表面側に付勢されて第２の把持部１５がスライドしないようにロックするものである。図３のｂに示すように押下部１９ａを押下することによりロックが外れ、スライド部１８の移動が可能となる。押下部１９ａを押下したまま例えば、図３のｃに示すように、矢印方向（紙面上方）に移動させ、所望の位置で押下部１９ａの押下をはずすとバネにかかっていた圧縮力が解放されてバネが伸びてストッパ１９ｃによりロックがかかる。
【００３０】
本実施形態のテープストリッピング用治具１の使用方法を図４、５を参照して説明する。
【００３１】
本実施形態のテープストリッピング用治具１では、所定長さに予め切断された粘着テープ１２を用いる。まず、粘着テープ１２の一端２２ａを第１の把持部１３と本体１０の面１０ｂとの間にくわえさせ、把持させる。その後、粘着テープ１２をその粘着面１２ｂが外面（表面）となるようにして本体の湾曲面１０ａに沿って配し、粘着テープ１２にやや弛みがある状態で他端１２ｃを第２の把持部であるクリップ１５によりクリップさせる。クリップ１５により粘着テープ１２の他端１２ｃを把持させた状態で、スライド部１８をテープ１２に張力がかかる向きにガイド１７に沿って移動させる。粘着テープ１２が第１および第２把持部１３、１５間でピンと張った状態で支持面１０ａに支持される位置までスライド部１８をスライドさせた後に、スライド部１８のスライドをロック機構１９によりロックする。
【００３２】
図４は、本テープストリッピング用治具１を用いたサンプルの採取工程を示す図であり、図５はサンプルを採取した粘着テープを基板５に貼付する工程を示す図である。
【００３３】
サンプル採取工程および粘着テープ貼付工程はいずれも使用者が持手部１１を握った状態で行う。図４に示すように、粘着テープ１２の粘着面１２ｂをサンプル（皮膚表面）Ｓに押し当てながらその粘着面１２ｂのクリップ１５側から把持部１３側に亘って順次皮膚に密着させる。すなわち、図４の実線の状態で湾曲面１０ａに支持されている粘着テープ１２の粘着面１２ｂを皮膚Ｓに押し当て、本体１０を破線の状態まで回動させる。この操作により粘着テープの粘着面１２ｂのサンプル採取領域が順次皮膚に貼り付けられ、続いて剥がされて皮膚サンプル（角質）を粘着面に付着させることができる。
【００３４】
粘着テープの粘着面にサンプルを付着させた後、すなわちサンプル取得後、図５に示すように、測定に供するために、測定用基板５の測定面５ａに粘着面１２ｂのクリップ１５側の湾曲面１０ａの一部を押し当てて、クリップ１５による把持を解放して粘着テープ１２の他端１２ｃを解放し、押し当て面（湾曲面）１０ａに支持されている粘着テープ１２を皮膚表面Ｓに押し当てつつ徐々に本体１０を回動させて基板５にテープ１２を貼り付ける。破線位置まで本体１０を回動させた後、把持部１３による粘着テープ１２の一端２２ａの把持を解放する。
【００３５】
本テープストリッピング用治具１を用いれば、粘着テープと測定用基板との間の空気を順次ぬきながらテープを基板表面に密着させることができ、基板５上に均一にテープ１２を貼り付けることが可能となる。
【００３６】
次に本発明の第２の実施形態（本発明の第１のテープストリッピング用治具の他の実施形態）のテープストリッピング用治具２について説明する。図６は、本実施形態のテープストリッピング用治具２を示す正面図である。
【００３７】
本実施形態のテープストリッピング用治具２は、湾曲状のテープ支持面２０ａを有する本体２０と、本体２０に形成された持手部２１と、粘着テープ２２の一端２２ａを把持する、本体２０の一部に設けられた第１の把持部２３と、粘着テープ２２の粘着面２２ｂが外面となるようにテープ支持面２０ａに沿わせ、粘着テープ２２に張力をかけた状態で粘着テープ２２の他端２２ｃを把持する、本体２０の他の一部に設けられた第２の把持部２５とを備えている。
【００３８】
本体２０は、紙面奥行き方向に粘着テープ２２の幅と同程度以上の幅を有する、正面形状がそのまま奥行き方向に平行方向に移動してできる形状である。本体２０はＤ字環状に形成されており、本体２０の直線部分が持手部２１となっている。
【００３９】
第１の把持部２３は、第１の実施形態のテープストリッピング用治具１において第２の把持部として用いられているものと同様のクリップであり、本体２０に固定されている。
【００４０】
第２の把持部２５は、本体２０に固定された受け部２５ａと、受け部２５ａの一端に回動可能に枢着された蓋部２５ｂとを有し、蓋部２５ｂには、受け部２５ａと蓋部２５ｂとの間に粘着テープを挿通させた状態で締着するためのカム状係止部（図示せず）が備えられている。蓋部２５ｂを回動させることにより、受け部２５ａの他端側の受け部２５ａと蓋部２５ｂとが離間し、粘着テープを受け部２５ａと蓋部２５ｂ間に容易に挿入できるようになる。また、蓋部２５ｂを受け部２５ａ側に蓋を閉めるように回動させることにより、カム状係止部の圧接により粘着テープは締着されて把持されることとなる。
本実施形態のでは第１および第２の把持部２３、２５がいずれも本体に対して移動しないように本体２０に固定されている。
【００４１】
本実施形態のテープストリッピング用治具２の使用方法を図６から図９を参照して説明する。
【００４２】
本実施形態のテープストリッピング用治具２では、第１の実施形態と同様に、予め粘着テープを所定の長さに切断した上で、粘着テープの一端および他端をそれぞれ第１の把持部および第２の把持部により把持させる。まず、第１の把持部２３であるクリップにより粘着テープ２２の一端２２ａを把持させる。その後、粘着テープ２２をその粘着面２２ｂが外面（表面）となるようにして本体の湾曲面２０ａに沿って配し、第２の把持部２５の蓋部２５ｂを開状態として受け部２５ａと蓋部２５ｂとの間に把持部２５の一端側から粘着テープの他端２２ｃを挿入する。さらに、蓋部２５ｂを開状態として受け部２５ａと蓋部２５ｂとの間粘着テープの他端２２ｃを挿入し、把持部２５に挿通させて、その粘着テープ他端２２ｃの先端を把持部２５の一端側から突出させる。この先端を指先等で図６の矢印方向に引っ張ることにより粘着テープ２２に張力をかけ、粘着テープ２２に張力をかけた状態で蓋部２５ｂを受け部２５ａ側に回動させることにより、図示しない係止部により粘着テープ２２を締着させる。このようにして図７に示すように、第２の把持部２５により粘着テープの他端２２ｃを把持させ、粘着テープ２２は、第１および第２把持部２３、２５間でピンと張った状態で支持面２０ａに支持された状態で維持される。
【００４３】
図８は、本テープストリッピング用治具２を用いたサンプルの採取工程を示す図であり、図９はサンプルを採取した粘着テープを基板５に貼付する工程を示す図である。
【００４４】
サンプル採取工程および粘着テープ貼付工程はいずれも使用者が持手部２１を握った状態で行う。図８に示すように、粘着テープ２２の粘着面２２ｂをサンプル（皮膚表面）Ｓに押し当てながらその粘着面２２ｂの第２の把持部２５側から第１の把持部２３側に亘って順次皮膚に密着させる。すなわち、図８の実線の状態で湾曲面２０ａに支持されている粘着テープ２２の粘着面２２ｂを皮膚Ｓに押し当て、本体２０を破線の状態まで回動させる。この操作により粘着テープの粘着面２２ｂのサンプル採取領域が順次皮膚に貼り付けられ、続いて剥がされて皮膚サンプル（角質）を粘着面に付着させることができる。
【００４５】
粘着テープの粘着面にサンプルを付着させた後、すなわちサンプル取得後、図９に示すように、測定に供するために、測定用基板５の測定面５ａに粘着面２２ｂの第２の把持部２５側の一部を押し当てて、把持部２５による把持を解放して粘着テープ２２の他端２２ｃを解放し、押し当て面（湾曲面）２０ｂに支持されている粘着テープ２２を皮膚表面Ｓに押し当てつつ徐々に本体２０を回動させて基板５にテープ２２を貼り付ける。破線位置まで本体２０を回動させた後、第１の把持部であるクリップ２３による粘着テープ２２の一端２２ａの把持を解放する。
【００４６】
本テープストリッピング用治具２を用いれば、第１の実施形態のテープストリッピング用治具１の場合と同様に、粘着テープと測定用基板との間の空気を順次ぬきながらテープを基板表面に密着させることができ、第１の実施形態の場合と同様の効果を得ることができる。
【００４７】
第１および第２の実施形態のテープストリッピング用治具によるサンプルの採取および測定用基板への粘着テープの貼付工程は、いずれも第２の把持部側から第１の把持部側向けて本体の湾曲面を順次皮膚あるいは測定用基板に接触させるように本体を回動させる形態としたが、回動方向は逆であってもよく、粘着面の第１の把持部側から第２の把持部側が順次接触するように回動させてもよい。また、採取工程と貼付工程で回動方向を互いに異なる方向としても構わない。
【００４８】
次に本発明の第３の実施形態（本発明の第２のテープストリッピング用治具の実施形態）のテープストリッピング用治具３について説明する。図１０は本発明の第３の実施形態のテープストリッピング用治具３の正面図であり、図１１Ａは図１０に示すテープストリッピング用治具３の矢印Ａ方向視の側面図、図１１Ｂは矢印Ｂ方向視の側面図、図１１ＣはＣ−Ｃ断面図である。
【００４９】
図１０、図１１Ａ〜図１１Ｃに示すように、テープストリッピング用治具３は、湾曲状のテープ支持面３０ａを有する本体３０と、本体３０に形成された持手部３１と、粘着テープ３２の粘着面３２ｂが外面となるようにテープ支持面３０ａに沿わせ、粘着テープ３２に張力をかけた状態で粘着テープ３２の一端３２ｃを把持する、本体３０の一部に設けられたテープ把持部３５とを備えている。
【００５０】
本実施形態において、湾曲状のテープ支持面３０ａを有する本体３０は円筒形状であり、その円筒の長さ方向にスリット（開口）３０ｂを有している。円筒形状の円筒表面が湾曲状のテープ支持面３０ａを構成している。また、スリット３０ｂの一方端辺には粘着テープ３２を切断する切断部３９が形成されている。この切断部３９は本体のスリット端辺にテーパを設け切断刃状に構成されたものである。なお、切断部３９は備えられていなくてもよく、その場合には、使用者がカッター、鋏などで粘着テープを切断すればよい。
【００５１】
本実施形態においては、円筒形状の本体内部（円筒形内）に回転式の粘着テープ収納（円筒状テープローラ）３６が備えられており、この円筒状の粘着テープローラ３６が、円筒形状の中心に配置されている支持軸３７に回転自在に保持されている。テープローラ３６は片面が粘着面３２ｂである粘着テープ３２が粘着面３２ｂが内側となるように巻きつけられている。粘着テープ３２としては、透明な樹脂フィルムの片面に粘着層が形成されてなるセロハンテープ様のものを用いることが好ましい。
【００５２】
持手部３１は、本体３０に相対的に回動するように支持軸３７に連結されている。持手部３１とテープ把持部３５とは固定部材３８により一体的に動くように連結されており、持手部３１を握って本体３０に対して持手部３１を回動させるとテープ把持部３５は本体３０のテープ支持面３０ａに沿って持手部３１と一体的に回動する。
なお、持手部３１には、本体３０に対する回動を一時的にロックするための図示しないロック機構が備えられている。ロック機構としては、持手部３１（およびテープ把持部）と本体３０との相対位置が固定できる構成であればよく、自動復帰型であっても位置保持型であっても構わないが、位置保持型が取り扱い易く好ましい。
【００５３】
テープ把持部３５は、円筒状テープローラ３６から繰り出され、スリット３０ｂから円筒面側（テープ支持面３０a側）に取り出された粘着テープ３２の一端３２ｃを把持し、粘着テープ３２の粘着面３２ｂが外面となるようにテープ支持面３０ａに沿わせ、粘着テープ３２に張力をかけた状態で維持するものである。テープ把持部３５は、上述の通り、固定部材３８上に設けられて本体３０に対して持手部３１と一体的に回動する。テープ把持部３５は粘着テープ３２の一端３２ｃを把持し、粘着テープ３２に張力がかかった場合にその張力よりも滑り抵抗が大きくなる程度の力で把持できる構成であれば特に制限はない。本実施形態においては、テープ把持部３５は、上部材と下部材とで粘着テープ一端３２ｃを挟んで把持するクリップにより構成されている。
【００５４】
さらに、本実施形態においては、本体３０のスリット３０ｂから取り出され、テープ支持面３０ａに沿って配された粘着テープ３２の一端３２ｃとスリット３０ｂとの間のスリット側の一部、特に好ましくはスリット３０ｂの近傍において、粘着テープ３２を本体３０に付勢して粘着テープ３２の移動を止める留め具３３を備えている。
留め具３３は本体３０のスリット３０ｂの一端部に固定され、本体３０との間で粘着テープの一部を挟むようにして粘着テープの移動を止めるものであり、粘着テープ把持位置（図１０中実線）と解放位置（図１０中破線）を採ることができる。
【００５５】
留め具３３は例えば板バネやコイル状バネなどの付勢部材を備え、通常は本体３０に付勢されて粘着テープ把持位置にあり、矢印Ｍの向きに押し上げて解放位置に位置するように構成されている。より具体的には、本体３０との間に隙間を設けた状態で粘着テープ３２をその隙間に通し、所定長さ粘着テープ３２を引き出した後に、留め具３３の矢印方向への押し上げる力をはずせば、バネによる付勢力により留め具３３が本体３０方向に付勢されて、留め具３３本体３０との間で粘着テープ３２を挟み位置固定するように構成されている。
【００５６】
この留め具３３で粘着テープ３２の一部３２ａを押さえた状態で、テープ把持部３５を粘着テープ３２に張力がかかる方向に回転させ、ある程度の張力がかかった状態でテープ把持部３５の回動とロックすることにより留め具３３とテープ把持部３５間のサンプル採取面となる領域が弛みない状態で粘着テープ３２をテープ支持面３０ａに支持した状態を維持することができる。
【００５７】
本実施形態のテープストリッピング用治具３の使用方法を図１２から図１４を参照して説明する。
図１２に示すように、本体３０内部のテープローラ３６から繰り出された粘着テープ３２をスリット３０ｂから円筒形の表面に取り出し、その粘着面３２ｂが外面（表面）となるようにして本体の湾曲面である円筒面３０ａに沿って引き出す。本体３０に固定されている留め具３３を解放位置として、本体３０と留め具３３との隙間に粘着テープ３２を通し、粘着テープ３２の一端３２ｃをテープ把持部であるクリップ３５によりクリップさせる。
【００５８】
その後、持手部３１を本体３０に対して円周方向（矢印Ｒの向き）に回動させて粘着テープ３２を湾曲面３０ａに沿って所定長さ引き出した後、留め具３３の解放方向への力を排すれば留め具３３が本体３０方向に付勢されて、粘着テープ３２の一部３２aを把持固定する。ここで留め具により把持されている粘着テープ３２の一部とは、後工程で粘着テープ３２が切断されたときにテープの他端となる部分であり、サンプル採取領域外の一部分である。粘着テープ３２の一部３２ａを固定した状態で持手部３１およびテープ把持部３５をさらに矢印Ｒの向きに沿って回動させることにより粘着テープ３２に張力をかけた状態で、テープ把持部３５と本体３０とが相対移動しないように図示しないロック機構によりロックする。
【００５９】
図１３は、本テープストリッピング用治具３を用いたサンプルの採取工程を示す図であり、図１４はサンプルを採取した粘着テープを基板５に貼付する工程を示す図である。
【００６０】
サンプル採取工程および粘着テープ貼付工程はいずれも使用者が持手部３１を握った状態で行う。図１３に示すように、粘着テープ３２の粘着面３２ｂをサンプル（皮膚表面）Ｓに押し当てながらその粘着面３２ｂのクリップ３５側から留め具３３側に亘って順次皮膚に密着させる。すなわち、図１３の実線の状態で円筒面３０ａに支持されている粘着テープ３２の粘着面３２ｂを皮膚Ｓに押し当て、本体３０を破線の状態まで回転させる。この操作により粘着テープの粘着面３２ｂのサンプル採取領域が順次皮膚に貼り付けられ、続いて剥がされて皮膚サンプル（角質）を粘着面に付着させることができる。
【００６１】
粘着テープの粘着面にサンプルを付着させた後、すなわちサンプル取得後、図１４に示すように、測定に供するために、測定用基板５の測定面５ａに粘着面３２ｂのクリップ３５側の一部を押し当てて、クリップ３５による把持を解放して粘着テープの一端３２ｃを解放し、円筒面３０ａに支持されている粘着テープ３２を皮膚表面Ｓに押し当てつつ徐々に本体３０を回転させて基板５にテープ３２を貼り付ける。破線位置まで回転させた後、本体のスリット端に設けられている切断部３９により粘着テープ３２を切断し、留め具３３による粘着テープ３２の一部（他端）３２ａの把持を解放する。
【００６２】
本テープストリッピング用治具３を用いれば、基板５に円筒面３０ａを押し当てつつ本体３０を徐々に回転させながらテープ３２を貼り付けるので、テープ３２と基板５との間の空気を順次ぬきながら密着させることができ、基板５上に均一にテープ３２を貼り付けることが可能となる。
【００６３】
測定用基板５として増強ラマン分光（ＳＥＲＳ）基板を用いれば、増強ラマン散乱光を検出できる。皮膚の一部が転写された（採取された）粘着テープをＳＥＲＳ基板表面に上述の方法で貼り付けることにより、皮膚サンプルがＳＥＲＳ基板の測定面の金属微細構造(金ナノ粒子や金ナノコーラルなど）と密着するため、基板の金属微細構造層にレーザ光を照射することで皮膚が有する物質に応じたラマン散乱光を得ることができる。また、レーザ光を走査することで、２次元の分布を観測することも可能となる。
【００６４】
図１５に第３の実施形態の設計変更例のテープストリッピング用治具４の正面図を示す。第３の実施形態のテープストリッピング用治具３においては、留め具３３を設けて留め具とテープ把持部間で粘着テープに張力をかけるように構成されているが、本設計変更例では留め具３３を備えていない。他方、テープローラ３６の回転をロックする図示しないロック機構を備えている。
【００６５】
本構成により、テープローラ３６とテープ把持部３５間で粘着テープ３２に張力を与えることが可能である。但し、回転がロックされたテープローラ３６とテープ把持部３５との間で張力をかけて粘着テープを支持する場合には、スリット端に切断部３９があると、切断部３９で粘着テープが切断される恐れがあるため、本構成においては、スリット端に切断部を備えていない。他方、粘着テープ３２が接触するスリット端に粘着テープを引き出す際のテープガイド４０を設けている。テープガイド４０はスリット端を丸みを帯びた形状とすることにより構成することができる。テープガイド４０が丸みを帯びているので、粘着テープの裏面（粘着面と反対の面）をテープガイド４０に沿わせながら粘着テープ３２をスムースに引き出すことができ、粘着テープ３２に張力がかかりテープガイド４０に裏面が押し付けられた場合であっても粘着テープ３２に亀裂が入ったり、切断されたりする恐れがない。
【００６６】
本設計変更例テープストリッピング用治具４の使用方法は、第３の実施形態の使用方法において、留め具と本体との隙間にテープを通す手間が不要となり、留め具でテープの一部を抑える代わりにテープローラの回転を規制するロックをかければよい。また、粘着テープを測定用基板に貼付した後には、鋏等でテープを切断すればよい。本テープストリッピング用治具４を用いた場合にも第３の実施形態のテープストリッピング用治具３と同様の効果を得ることができる。
【００６７】
以上、本発明の第１〜第３の実施形態に係るテープストリッピング用治具について説明したが、本発明は上記形態に限るものではなく、種々の態様を採用することができる。第１、第２の実施形態のテープストリッピング用治具は、粘着テープを所定長さに予め切断し、先端を把持部に挿入して把持させる際に、先端部分を指等で触ることになるが、把持領域はサンプル採取領域外であるため、測定精度を低下させるものではない。一方、第３の実施形態のテープストリッピング用治具は、使用者が粘着面を触る恐れが少なく好ましい。いずれの形態においても、粘着テープの粘着面に触れることなくサンプル採取および基板へのテープ貼付を行うことができるため、サンプル付着面の汚染を抑制することができる。
【００６８】
本発明のテープストリッピング用治具において、第１および第２の把持部やテープ把持部は、粘着テープを本体の湾曲面に沿ってある程度の張力をかけた状態で把持することができる構成であればよく、周知のクリップや締着部材を適用することができる。本体は樹脂、金属等加工性のよい材料で構成することができる。
【符号の説明】
【００６９】
１、２、３、４    テープストリッピング用治具
５    測定用基板
１０、２０    本体
１０ａ、２０ａ    湾曲面（テープ支持面）
１１、２１    持手部
１２、２２    粘着テープ
１２ａ、２２ａ    粘着テープの一端
１２ｂ、２２ｂ    粘着テープの粘着面
１２ｃ、２２ｃ    粘着テープの他端
１３、２３    第１の把持部
１５、２５    第２の把持部
１７    ガイド
１８    スライド部
１９    ロック機構
３０    本体
３０ａ    湾曲面（テープ支持面）
３１    持手部
３２    粘着テープ
３２ａ    粘着テープの一部
３２ｂ    粘着テープの粘着面
３２ｃ、    粘着テープの一端
３３    留め具
３５    テープ把持部
３６    粘着テープ収納（円筒状テープローラ）
３７    支持軸
３８    固定部材
３９    切断部
４０    テープガイド
【図１】
2015118061.tif 000003
【図２】
2015118061.tif 000004
【図３】
2015118061.tif 000005
【図４】
2015118061.tif 000006
【図５】
2015118061.tif 000007
【図６】
2015118061.tif 000008
【図７】
2015118061.tif 000009
【図８】
2015118061.tif 000010
【図９】
2015118061.tif 000011
【図１０】
2015118061.tif 000012
【図１１Ａ】
2015118061.tif 000013
【図１１Ｂ】
2015118061.tif 000014
【図１１Ｃ】
2015118061.tif 000015
【図１２】
2015118061.tif 000016
【図１３】
2015118061.tif 000017
【図１４】
2015118061.tif 000018
【図１５】
2015118061.tif 000019